(57)【要約】【課題】競技場やテーマパークの複数の撮影カメラを用いて、顧客の要望するアングルと撮影条件下で遠隔撮影可能な遠隔撮影システムが求められている。【解決手段】電話回線を介して、撮影依頼情報を受信し、依頼者に撮影可否と時刻情報を送信する携帯電話送受信装置１１と、この携帯電話送受信装置で受信した撮影依頼情報を基に、撮影可否判定と撮影時刻を決定し、撮影可否と時刻とを依頼者に送信する撮影時刻決定装置１５と、この撮影時刻決定装置で決定した時刻時に、依頼者が指定した撮影アングルの撮影カメラ５を撮影駆動させるカメラ制御装置４と、このカメラ制御装置の基で、撮影カメラで撮影した依頼者の撮影画像データを記憶させる撮影画像データメモリ１９と、このメモリに記憶された撮影画像データをプリンタ機器、又は依頼者のプロバイダーに配信する画像配信装置２２を備えた遠隔撮影システム。【選択図】      図１
2004297363.tif 000002
【特許請求の範囲】
【請求項１】
電話回線を介して、撮影依頼者から伝送される依頼者識別情報、座席情報、及び撮影方向情報等の撮影依頼情報を受信すると共に、撮影依頼者に撮影可否と撮影時刻情報を送信する撮影依頼送受信手段と、
この撮影依頼送受信手段で受信した撮影依頼者からの撮影依頼情報を基に、撮影可否判定と撮影時刻を決定し、その撮影可否と撮影時刻とを前記撮影依頼送受信手段から撮影依頼者に送信する撮影時刻決定手段と、
この撮影時刻決定手段で決定した時刻時に、撮影依頼者から指定された撮影方向の撮影カメラを駆動制御させて撮影依頼者を撮影させるカメラ駆動制御手段と、
このカメラ駆動制御手段の駆動制御の基で、前記撮影カメラで撮影した撮影依頼者の撮影画像データを記憶させる撮影画像データ記憶手段と、
この撮影画像データ記憶手段に記憶された撮影画像データをプリンタ機器、又は撮影依頼者のプロバイダーに配信する画像配信手段と、
を具備することを特徴とした遠隔撮影システム。
【請求項２】
特定の撮影ポイントから電話回線を介して、撮影依頼者から伝送される依頼者識別情報、撮影ポイント情報、及び背景情報等の撮影依頼情報を受信すると共に、撮影依頼者に撮影受諾を送信する撮影依頼送受信手段と、
この撮影依頼送受信手段で受信した撮影依頼者からの撮影依頼情報を基に、撮影受諾情報と、背景情報による撮影時刻を決定して前記撮影依頼送受信手段から撮影依頼者に送信する撮影時刻決定手段と、
この撮影時刻決定手段で決定した時刻時に、撮影依頼者から指定された撮影ポイントの撮影カメラを駆動制御させて撮影依頼者を撮影させるカメラ駆動制御手段と、
このカメラ駆動制御手段の駆動制御の基で、前記撮影カメラで撮影した撮影依頼者の撮影画像データを記憶させる撮影画像データ記憶手段と、
この撮影画像データ記憶手段に記憶された撮影画像データをプリンタ機器、又は撮影依頼者のプロバイダーに配信する画像配信手段と、
を具備することを特徴とした遠隔撮影システム。
【請求項３】
電話回線を介して、撮影依頼者から伝送される依頼者識別情報、乗り物情報、及び乗り物の座席情報等の撮影依頼情報を受信すると共に、撮影依頼者に撮影可否と撮影時刻情報を送信する撮影依頼送受信手段と、
この撮影依頼送受信手段で受信した撮影依頼者からの撮影依頼情報を基に、撮影可否判定と乗り物に乗車している撮影依頼者の撮影ポイントの通過時刻を想定し、少なくとも撮影可否を前記撮影依頼送受信手段から撮影依頼者に送信する撮影時刻決定手段と、
この撮影時刻決定手段で決定した撮影依頼者の通過時刻に、撮影カメラを駆動制御させて撮影依頼者を撮影させるカメラ駆動制御手段と、
このカメラ駆動制御手段の駆動制御の基で、前記撮影カメラで撮影した撮影依頼者の撮影画像データを記憶させる撮影画像データ記憶手段と、
この撮影画像データ記憶手段に記憶された撮影画像データをプリンタ機器、又は撮影依頼者のプロバイダーに配信する画像配信手段と、
を具備することを特徴とした遠隔撮影システム。
【請求項４】
前記撮影依頼送受信手段は、撮影依頼者が保有し、少なくとも文字図形情報や静止画情報の送受信が可能な情報送受信手段との交信が可能であることを特徴とした請求項１乃至３のいずれかに記載の遠隔撮影システム。
【請求項５】
前記撮影画像データ記憶手段に記憶された撮影画像データを撮影依頼者による撮影画像確認を得るためにサンプル画像を生成する画像加工手段を有していることを特徴とした請求項１乃至３のいずれかに記載の遠隔撮影システム。
【請求項６】
前記撮影画像データ記憶手段に記憶されている撮影画像データの背景を他の背景に加工変更する画像加工手段を有していることを特徴とした請求項１乃至３のいずれかに記載の遠隔撮影システム。
【発明の詳細な説明】
【０００１】
【発明の属する技術分野】
本発明は、野球場、サッカー場、競馬場等の各種競技場のスタンドでの観戦状況、及びテーマパークや遊園地あるいは景勝地等の撮影ポイントでの特別な撮影アングルや特殊な背景による撮影を遠隔的に行うことを可能とする遠隔撮影システムに関する。
【０００２】
【従来の技術】
近年、テーマパークの撮影ポイントにおいて、専任のカメラ操作者を配置して行う記念撮影サービスに代えて、撮影ポイントに設置されているカメラを利用して、利用者が携行する携帯電話の電話番号を事前登録し、その利用者が撮影ポイントのカメラに電話すると、発信電話番号と事前登録電話番号の照合確認後、電話の通話状態を確立することなくカメラによる撮影を可能とし、かつ、その撮影した撮影画像は、利用者がテーマパークを退場する際にプリントアウト提供したり、あるいは、インターネットを介して、利用者のプロバイダーに転送するカメラシステムが提案されている（例えば、特許文献１参照）。
【０００３】
【特許文献１】
特開２００１−２５８０２２号公報。
【０００４】
【発明が解決しようとする課題】
前述の特許文献１に提案されているカメラシステムは、撮影ポイントに設置されているカメラに対して、事前登録された利用者が携行している携帯電話から電話して撮影指示を行うと、カメラ側は、利用者の電話番号のみを認識し、電話回線の通話状態を確立することなく撮影を可能とするために、利用者は、撮影ポイントにおいて、好みのタイミングで撮影が可能となり、しかも利用者は通話料金が発生しないで撮影操作ができる。
【０００５】
しかし、このカメラシステムは、特定された撮影ポイントに設定されたカメラで、かつ、設定されている撮影方向（以下、撮影アングルと称する）のみの撮影となり、その設定撮影ポイント以外での撮影や、撮影アングルを代えることはできない。また、所定の場所にて携帯電話によって、撮影指示することになるが、実際にいつシャッタが落ちて写真撮影が実行されたか不明確である。
【０００６】
一方、利用者は、特定された撮影ポイント以外での撮影や、複数の撮影アングルでの撮影、及び背景を代えた撮影などの複数の撮影条件を変えた撮影を望んでいる。特に、自らが保有するカメラでは、撮影不可能な撮影アングル、撮影背景、及び撮影タイミング等での撮影が望まれている。
【０００７】
例えば、野球場やサッカー場等の各種競技場のスタンドで観戦している時に、そのスタンドでの観戦状態を対面しているスタンド側から撮影する。例えば、野球場では、３塁側スタンドで野球観戦しているときに、１塁側スタンドから見た撮影アングルで撮影したり、競馬場では、ゴール付近で撮影する際に、背景にゴールする馬を入れて撮影したり、テーマパークでは、乗り物に乗車して走行中を撮影したりすることは現時点では実現できないことである。
【０００８】
一方、競技場では、競技内容やスタンド状態を撮影するために、複数の撮影カメラが設置されている。また、テーマパークにおいても、前述した撮影ポイントでの記念撮影用カメラ、及び乗り物や遊技器具の監視あるいは入場者の監視等のための撮影カメラが複数設置されている。
【０００９】
このように競技場やテーマパーク等に設置されているカメラを用いて、観客が要望する撮影アングル、撮影ポイント、及び背景状態で記念撮影できることが望まれている。
【００１０】
本発明は、このような事情に鑑みなされたもので、競技場やテーマパークに設置されている撮影カメラを用いて、顧客の要望により遠隔撮影が可能な遠隔撮影システムを提供することを目的としている。
【００１１】
【課題を解決するための手段】
本発明の遠隔撮影システムは、電話回線を介して、撮影依頼者から伝送される依頼者識別情報、座席情報、及び撮影方向情報等の撮影依頼情報を受信すると共に、撮影依頼者に撮影可否と撮影時刻情報を送信する撮影依頼送受信手段と、この撮影依頼送受信手段で受信した撮影依頼者からの撮影依頼情報を基に、撮影可否判定と撮影時刻を決定し、その撮影可否と撮影時刻とを前記撮影依頼送受信手段から撮影依頼者に送信する撮影時刻決定手段と、この撮影時刻決定手段で決定した時刻時に、撮影依頼者から指定された撮影方向の撮影カメラを駆動制御させて撮影依頼者を撮影させるカメラ駆動制御手段と、このカメラ駆動制御手段の駆動制御の基で、前記撮影カメラで撮影した撮影依頼者の撮影画像データを記憶させる撮影画像データ記憶手段と、この撮影画像データ記憶手段に記憶された撮影画像データをプリンタ機器、又は撮影依頼者のプロバイダーに配信する画像配信手段と、を具備することを特徴としている。
【００１２】
本発明の遠隔撮影システムは、特定の撮影ポイントから電話回線を介して、撮影依頼者から伝送される依頼者識別情報、撮影ポイント情報、及び背景情報等の撮影依頼情報を受信すると共に、撮影依頼者に撮影受諾を送信する撮影依頼送受信手段と、この撮影依頼送受信手段で受信した撮影依頼者からの撮影依頼情報を基に、撮影受諾情報と、背景情報による撮影時刻を決定して前記撮影依頼送受信手段から撮影依頼者に送信する撮影時刻決定手段と、この撮影時刻決定手段で決定した時刻時に、撮影依頼者から指定された撮影ポイントの撮影カメラを駆動制御させて撮影依頼者を撮影させるカメラ駆動制御手段と、このカメラ駆動制御手段の駆動制御の基で、前記撮影カメラで撮影した撮影依頼者の撮影画像データを記憶させる撮影画像データ記憶手段と、この撮影画像データ記憶手段に記憶された撮影画像データをプリンタ機器、又は撮影依頼者のプロバイダーに配信する画像配信手段と、を具備することを特徴としている。
【００１３】
本発明の遠隔撮影システムは、電話回線を介して、撮影依頼者から伝送される依頼者識別情報、乗り物情報、及び座席情報等の撮影依頼情報を受信すると共に、撮影依頼者に撮影可否と撮影時刻情報を送信する撮影依頼送受信手段と、この撮影依頼送受信手段で受信した撮影依頼者からの撮影依頼情報を基に、撮影可否判定と乗り物に乗車している撮影依頼者の通過時刻を想定し、少なくとも撮影可否を前記撮影依頼送受信手段から撮影依頼者に送信する撮影時刻決定手段と、この撮影時刻決定手段で決定した撮影依頼者の通過時刻に、撮影カメラを駆動制御させて撮影依頼者を撮影させるカメラ駆動制御手段と、このカメラ駆動制御手段の駆動制御の基で、前記撮影カメラで撮影した撮影依頼者の撮影画像データを記憶させる撮影画像データ記憶手段と、この撮影画像データ記憶手段に記憶された撮影画像データをプリンタ機器、又は撮影依頼者のプロバイダーに配信する画像配信手段と、を具備することを特徴としている。
【００１４】
本発明の遠隔撮影システムの撮影依頼送受信手段は、撮影依頼者が保有し、少なくとも文字図形情報や静止画情報の送受信が可能な情報送受信手段との交信が可能であることを特徴としている。
【００１５】
本発明の遠隔撮影システムは、前記撮影画像データ記憶手段に記憶された撮影画像データを撮影依頼者による撮影画像確認を得るためにサンプル画像を生成する画像加工手段を有していることを特徴としている。
【００１６】
また、本発明の遠隔撮影システムは、前記撮影画像データ記憶手段に記憶されている撮影画像データの背景を他の背景に加工変更する画像加工手段を有していることを特徴としている。
【００１７】
本発明の遠隔撮影システムは、自らでは、撮影できない撮影アングル、及び背景状態での撮影が可能となり、競技場やテーマパーク等に設置されている撮影カメラの有効利用が出来るようになる。
【００１８】
【発明の実施の形態】
以下、図面を参照して本発明の実施の形態について詳細に説明する。最初に、図１乃至図３を用いて本発明の遠隔撮影システムの第１の実施形態を説明する。
【００１９】
図１は、本発明に係る遠隔撮影システムの全体構成を示すブロック図、図２は本発明の遠隔撮影システムの第１の実施形態である野球場における使用状態を説明する説明図、図３は本発明の遠隔撮影システムの第１の実施形態の撮影動作を説明する説明図である。
【００２０】
本発明に係る遠隔撮影システムの全体構成について、図１を用いて説明する。この遠隔撮影システムは、顧客が携行する携帯電話１と、携帯電話１と通話が可能で、かつ、競技場に設置されている後述する複数の撮影カメラ５に対して撮影指示や撮影画像データを記録し、かつ画像加工処理する撮影管理サーバ２と、この撮影管理サーバ２からの撮影指示の基で撮影駆動する競技場の複数の箇所に設置される撮影カメラ５と、顧客の前記携帯電話１やパーソナルコンピュータのプロバイダー６と接続する回線網７とからなっている。
【００２１】
顧客が携行する携帯電話１は、撮影要求の各種文字図形及び静止画情報データを送受信可能なメール機能を有している。
【００２２】
前記撮影カメラ５は、競技場の複数の箇所に異なる撮影アングルで設置されている電子的カメラで動画や静止画が撮影可能である（以下、単にカメラ５と称する）。また、このカメラ５は、前記撮影管理サーバ２からの撮影指示情報の基で、カメラ制御装置４により撮影駆動制御されている。
【００２３】
前記撮影管理サーバ２は、顧客の携帯電話１との間で回線網７を介して、撮影要求の各種文字情報データを送受信する携帯電話送受信装置１１、この携帯電話送受信装置１１が受信した携帯電話１からの撮影要求の各種文字情報データを記憶させる顧客データ記憶メモリ１２、現在時間を計測する時計装置１３、この時計装置１３からの時刻情報の基で、競技場内に設けられている時刻表示用の時計３を駆動制御する時計装置同期装置１４、前記携帯電話送受信装置１１で受信した撮影要求の各種文字情報データを基に、撮影可否や撮影時間を設定し、かつ、前記携帯電話送受信装置１１から顧客の携帯電話１へ返信する撮影時間決定装置１５、この撮影時間決定装置１５で設定された撮影時間でカメラ制御装置４に駆動指示を行う撮影指示装置１６、前記顧客データ記憶１２に記憶された顧客データから撮影画像の送信先や送信種別を確認する送信先送信種別確認装置１７、前記カメラ５で撮影した撮像画像データをカメラ制御装置４を介して受信する撮像画像受信装置１８、この撮像画像受信装置１８で受信した撮像画像データを記憶させる撮像画像データメモリ１９、事前に撮像記憶されている背景画像、及び事前作成されている文字キャラクタ等を記録する背景画像データメモリ２０、前記撮像画像データメモリ１９に記憶されている撮像画像データと、前記背景画像データメモリ２０に記憶されている背景画像や文字キャラクタデータを用いて、前記送信先送信種別確認装置１７で確認された送信条件の下で、撮像画像データを加工処理する画像加工装置２１、この画像加工装置２１で加工された撮像画像データを回線網７を介して、顧客の携帯電話やパーソナルコンピュータ等の顧客プロバイダー６に配信する画像配信装置２２からなっている。
【００２４】
このような構成の遠隔撮影システムを用いて競技場における撮影状態を、図２を用いて説明する。なお、図２は野球場における撮影状態を例として示している。
【００２５】
この野球場のスタンド２２には、前記カメラ制御装置４を含むカメラ５が複数設定されている。つまり、本塁側スタンドに第１のカメラ５ａ、１塁側スタンドに第２のカメラ５ｂ、センター側スタンドに第３のカメラ５ｃ、及び３塁側スタンドに第４のカメラ５ｄがそれぞれ設置されているとする。この第１〜第４のカメラ５ａ〜５ｄは、対面するスタンドの観客席が撮影範囲とする。即ち、１塁側の第２カメラ５ｂは、３塁側スタンドのほぼ全域の観客席が撮影可能としている。この第１〜第４のカメラ５ａ〜５ｄのそれぞれの近傍には、前記時計３ａ〜３ｄが設置されている。
【００２６】
この第１〜第４のカメラ５ａ〜５ｄと時計３ａ〜３ｄは、信号ケーブル２１により、前記撮影管理サーバ２に接続されている。
【００２７】
このような野球場に設置されているカメラ５を用いて、例えば、スタンド２２の３塁側で観戦している観客２６は、従来では３塁側で観戦している自らの姿を１塁側から撮影することは不可能であったが、顧客２６が携行する携帯電話１を用いて、前記撮影管理サーバ２に１塁側からの撮影要求を行うと、１塁側に設置されている第２のカメラ５ｂによって撮影され、その撮影画像を自らの携帯電話で入手したり、プリンタ２７でプリントアウトした画像として入手したり、あるいは、家庭にあるパーソナルコンピュータで撮像画像データとして入手したりする。
【００２８】
このように野球場等の競技場のスタンドを撮影する遠隔撮影システムの撮影動作について、図３を用いて説明する。野球場のスタンド２２で野球を観戦している顧客２６は、ステップＳ１で携行している携帯電話１から撮影サービスを行っている野球場のホームページにアクセスして、観戦している座席番号とメールアドレス等の個人情報と、撮影アングルや撮影画像の送付先アドレス及び撮影画像に表示するメールメッセイジ等の指定情報からなる撮影依頼情報データを送信する。
【００２９】
この顧客２６の携帯電話１から送信された前記撮影依頼情報データは、ステップＳ２で撮影管理サーバ２の携帯電話送受信装置１１で受信し、その撮影依頼情報を顧客データ記憶メモリ１２に記憶させ、この記憶した撮影依頼情報データの受信時間、カメラの設定時間、他の顧客からの撮影依頼による順番待ち時間等を考慮して、撮影時間決定装置１５で撮影時間を決定し、その決定した撮影時間を前記携帯電話送受信装置１１から顧客の携帯電話１へと送信する。
【００３０】
このステップＳ２で撮影管理サーバ２で決定送信された撮影時間情報を携帯電話１で受信した顧客は、ステップＳ３で、撮影するカメラ５、例えば、１塁側の第２のカメラ５ｂの近傍に設置されている時計３ｂの時刻に合わせて撮影ポーズを取る。
【００３１】
一方、撮影管理サーバ２は、前記ステップＳ２で設定された撮影時間を時計装置１３からの計時データの基で撮影時間決定装置１５で監視し、撮影決定時間になると、撮影指示装置１６を介して、カメラ撮影制御装置４を駆動制御して、第２のカメラ５ｂを顧客２６の座席番号方向に向けると共に、焦点調整を行い、顧客２６の撮影を行う。
【００３２】
このステップＳ４で、第２のカメラ５ｂで撮影された撮影画像データは、ステップＳ５でカメラ制御装置４から撮影管理サーバ２の撮影画像受信装置１８へと伝送され、その撮影画像受信装置１８で受信した撮影画像データは、撮影画像データメモリ１９に記憶すると共に、撮影した画像の顧客２６による確認を得るためにその撮影画像データメモリ１９に記憶された撮影画像データから画像データ量を少なくして解像度を低下させたサンプル画像データを画像加工装置２１で生成して、前記ステップＳ２で顧客データ記憶メモリ１２に記憶されている顧客の携帯電話１にサンプル画像データを画像配信装置２２から送信する。
【００３３】
このステップＳ５で撮影管理サーバ２から送信されたサンプル画像データを携帯電話１で受信した顧客２６は、ステップＳ６で携帯電話１で受信したサンプル画像を再生表示して、その撮影画像の購入と撮影のやり直しの指示、撮像画像の背景選択指示、及び撮影料金と撮影画像データの送信料金の支払い方法等の撮影画像の購入情報を入力して、撮影管理サーバ２へ送信する。
【００３４】
このステップＳ６により、顧客２６の携帯電話１から送信された撮影画像の購入情報は、ステップＳ７で撮影管理サーバ２の携帯電話送受信装置１１を介して受信し、その撮影画像購入情報を顧客データ記憶メモリ１２に記憶し、かつ、その撮影画像購入情報を送信先送信種別確認装置１７で確認認識し、画像加工装置２１で、撮影画像購入情報の基で、撮影画像に顧客２６が指定した背景の変更や文字キャラクタの付加等の加工処理を行い、指定されている画像送付先に画像配信装置２２から送信する。
【００３５】
このステップＳ７の顧客２６への撮像画像の送信終了後、ステップＳ８で撮影管理サーバ２は、撮影と画像データ送信料金の請求受領を行う。
【００３６】
尚、前記ステップＳ７の背景加工処理は、前記カメラ制御装置４から第１〜第４のカメラ５ａ〜５ｄを撮影駆動制御して、事前に野球場内の特定の場所や選手のプレー状態などを撮影して背景画像メモリ２０に記憶させたり、及び事前に文字キャラクタを記憶させておき、その記憶されている背景画像と文字キャラクタから顧客２６の好みによって選択指定できるようになっている。
【００３７】
また、ステップＳ７の顧客２６に対する撮影画像の送付は、撮影画像データとして、顧客の携帯電話やパーソナルコンピュータのプロバイダー６に回線７を介して伝送する方法以外に、プリンタ２７でハードコピーを作成して、野球場の出口で顧客に手渡すことも可能である。
【００３８】
さらに、この第１の実施形態は、野球場を例に説明したが、サッカー場のように競技フィールドと、その競技フィールドを囲むスタンドからなる各種競技場で適用できる。
【００３９】
以上説明したように、本発明の遠隔撮影システムは、競技場のスタンドにおいて、自らのカメラでは撮影できない撮影アングルで、競技場に設置されている複数のカメラの中から所望のカメラで撮影することができると共に、その撮影画像の背景を好みの背景や文字キャラクタに加工でき、かつ、その撮影画像をハードコピーとして入手できると共に、撮影画像データとして保有することが可能となった。
【００４０】
次に、本発明の遠隔撮影システムの第２の実施形態を図４と図６を用いて説明する。この第２の実施形態は、テーマパークや遊園地等における遠隔撮影システムである。
【００４１】
図４に示すように、テーマパークや遊園地３１の複数の特定撮影ポイント毎にカメラ５が設置され、そのカメラ５の近傍には、時計３が設けられている。このカメラ５と時計３は、前記撮影管理サーバ２によって駆動制御されており、この撮影管理サーバ２は、通信回線を介して顧客３３の携帯電話やパーソナルコンピュータ等のプロバイダーと接続されるようになっている。
【００４２】
このようなテーマパークや遊園地における遠隔撮影システムの撮影動作について、図６を用いて説明する。
【００４３】
テーマパークや遊園地の特定の撮影ポイント、例えば、遊園地の観覧車を背景とする撮影ポイントで撮影する場合を例に説明する。遊園地側は、ステップＳ１１で、遊園地のホームページなどで遊園地内の撮影ポイントの位置とその撮影ポイントでの撮影指定を可能とするホームページ等を公開する。
【００４４】
顧客３３は、遊園地において、ステップＳ１２で携行している携帯電話１から撮影サービスを行っている遊園地のホームページにアクセスして、設定されている特定撮影ポイントの指定と、顧客３３のメールアドレス等の個人情報と、撮影画像の送付先アドレスやメールメッセイジの指定情報とからなる撮影依頼情報データを送信する。
【００４５】
この顧客３３の携帯電話１から送信された前記撮影依頼情報データは、ステップＳ１３で撮影管理サーバ２で受信し、その撮影依頼情報を顧客データ記憶メモリ１２に記憶させ、この記憶した撮影依頼情報データの受信時間、カメラの設定時間、他の顧客からの撮影依頼による順番待ち時間等を考慮して、撮影時間決定装置１５で撮影時間を決定し、その決定した撮影時間を前記携帯電話送受信装置１１から顧客の携帯電話に送信する。
【００４６】
このステップＳ１３で撮影管理サーバ２で決定送信された撮影時間情報を携帯電話１で受信した顧客３３は、ステップＳ１４で、撮影するカメラ、例えば、観覧車前の特定撮影ポイントにおいて、カメラ５の近傍に設置されている時計３の時刻に合わせて撮影ポーズを取る。
【００４７】
一方、撮影管理サーバ２は、前記ステップＳ１３で決定された撮影時間を時計装置１３からの計時データの基で撮影時間決定装置１５で監視し、撮影決定時間になると、撮影指示装置１６を介して、カメラ撮影制御装置３７を駆動制御して、カメラ５を顧客３３に向けると共に、焦点調整を行い、顧客３３の撮影を行う。
【００４８】
このステップＳ１５で、カメラ５で撮影された撮影画像データは、ステップＳ１６でカメラ制御装置３７から撮影管理サーバ２の撮影画像受信装置１８へと伝送され、その撮影画像受信装置１８で受信した撮影画像データは、撮影画像データメモリ１９に記憶すると共に、その撮影画像データメモリ１９に記憶された撮影画像データから画像データ量を少なくして解像度を低下させたサンプル画像データを画像加工装置２１で生成して、前記ステップＳ１３で顧客データ記憶メモリ１２に記憶されている顧客３３の携帯電話１にサンプル画像データを画像配信装置２２から送信する。
【００４９】
このステップＳ１６で撮影管理サーバ２から送信されたサンプル画像データを携帯電話１で受信した顧客３３は、ステップＳ１７で携帯電話１で受信したサンプル画像を再生表示して、その撮影画像の購入と撮影のやり直しの指示、撮像画像の背景や文字キャラクタの選択指示、及び撮影料金と撮影画像データの送信料金の支払い方法等の撮影画像の購入情報を入力して、撮影管理サーバ２へ送信する。
【００５０】
このステップＳ１７により、顧客３３の携帯電話１から送信された撮影画像の購入情報は、ステップＳ１８で撮影管理サーバ２の携帯電話送受信装置１１を介して受信し、その撮影画像購入情報を顧客データ記憶メモリ１２に記憶し、かつ、その撮影画像購入情報を送信先送信種別確認装置１７で確認認識し、画像加工装置２１で、撮影画像購入情報の基で、撮影画像に顧客が指定した背景や文字キャラクタとする加工処理を行い、指定されている画像送付先に画像配信装置２２から送信する。
【００５１】
このステップＳ１８の顧客３３への撮像画像の配信終了後、ステップＳ１９で撮影管理サーバ２は、撮影と画像データ送信料金の請求受領を行う。
【００５２】
尚、前記ステップＳ１８の背景や文字キャラクタの加工処理は、前記カメラ制御装置３７からカメラ５を撮影駆動制御して、事前に遊園地内の特定の場所やイベントなどを撮影したり、及び事前に文字キャラクタ作成したりして背景画像メモリ２０に記憶させ、その記憶されている背景画像と文字キャラクタから顧客３３の好みによって選択指定できるようになっている。
【００５３】
また、ステップＳ１８の顧客３３に対する撮影画像の送付は、撮影画像データとして、顧客３３の携帯電話やパーソナルコンピュータ等のプロバイダーに伝送する方法以外に、プリンタ２７でハードプリントアウトして、遊園地の出口で顧客３３に手渡すことも可能である。
【００５４】
さらに、この遊園地の特定撮影ポイントで、背景に例えば、観覧車の特定の観覧台、例えば、子供が乗っている観覧台が撮影ポイントの背景に入るように、指定し、撮影管理サーバ３６は、その指定された観覧台の位置と撮影ポイントに到達する時刻を計測設定して、指定観覧台が撮影ポイントの背景位置に到達時間に撮影できるように、カメラの撮影動作を制御すると共に、その撮影時刻を顧客３３の携帯電話１に連絡表示させ、その時刻に合わせて、顧客は撮影ポイントでポーズをすることができる。
【００５５】
さらに、撮影ポイントが、例えば、ジェットコースター等の乗車遊技で、その走行途中に撮影ポイントを設け、その撮影ポイントを通過する際に顧客を撮影することも可能である。つまり、顧客は、ジェットコースターの乗車時に、座席番号を含む撮影依頼情報データを送信すると、撮影管理サーバは、そのジェットコースターの撮影ポイントの通過時間を予測計測し、カメラを撮影駆動させると共に、顧客は撮影ポイントの通過時にポーズを取ることで、ハイスピードで走行するジェットコースターの乗車撮影が可能となる。
【００５６】
以上説明したように、自らのカメラでは撮影できない撮影アングルで、遊園地等に設置されている複数の撮影ポイントで撮影することができると共に、その撮影画像の背景を好みの背景や背景状態を特定したり、又は文字キャラクタを付加した撮影ができ、かつ、その撮影画像をハードコピーとして入手できると共に、撮影画像データとして保有することが可能となった。
【００５７】
次に、本発明の遠隔撮影システムの第３の実施形態を図５と図７を用いて説明する。この第３の実施形態は、競馬場、カーレース場等において、競走馬やレースカーのゴールシーンと共に撮影する遠隔撮影システムである。
【００５８】
図５に示すように、例えば、競馬場４１のゴール４２の付近で、ゴールする競走馬を背景に撮影可能な位置にカメラ５を設置し、そのカメラ５は、前述した撮影管理サーバ２によって撮影駆動制御される。カメラ５で撮影して、撮影管理サーバ２で生成された撮影画像は、プリンタ２７でハードプリントアウトできるようになっている。
【００５９】
このような競馬場、競輪場、競艇場、オートレース場、及びカーレース場等の競争競技場のゴール付近で撮影する遠隔撮影システムの撮影動作について、図７を用いて説明する。
【００６０】
競争競技場は、ステップＳ２１で、ゴール状況を背景として撮影できる撮影ポイント、例えば、競馬場４１のゴール４２の付近で、ゴールする競走馬と共に撮影できる撮影ポイントを、競馬場４１のホームページなどで公開する。
【００６１】
顧客４３は、競馬場４１において、ステップＳ２２で携行している携帯電話１から撮影サービスを行っている競馬場４１のホームページにアクセスして、設定されている撮影ポイントの指定と、顧客４３のメールアドレス等の個人情報と、撮影画像の送付先アドレスやメールメッセイジの指定情報とからなる撮影依頼情報データを送信する。
【００６２】
この顧客４３の携帯電話１から送信された前記撮影依頼情報データは、ステップＳ２３で撮影管理サーバ２で受信し、その撮影依頼情報を顧客データ記憶メモリ１２に記憶すると共に、競走馬のゴールシーンを撮影するタイミングを設定するために、競走馬のある特定位置の通過時間、例えば、ゴールの数十〜数メートル手前の通過時間からゴール時間を検出して、このゴール時間を撮影タイミング時間として撮影時間決定装置１５で決定し、そのタイミングで撮影が行われる。
【００６３】
次に、ステップＳ２４で顧客は、前記ステップＳ２３で決定した撮影タイミングで撮影するために、競走馬のゴールに合わせて撮影ポーズを取る。
【００６４】
一方、撮影管理サーバ２は、前記ステップＳ２３で設定された撮影時間を時計装置１３からの計時データの基で撮影時間決定装置１５で監視し、撮影時間になると、撮影指示装置１６を介して、カメラ撮影制御装置３７を駆動制御して、カメラ５の焦点調整を行い、顧客４３とゴールする競走馬を背景に撮影を行う。
【００６５】
このステップＳ２５で、カメラ５で撮影された撮影画像データは、ステップＳ２６で撮影管理サーバ２の撮影画像受信装置１８へと伝送され、その撮影画像受信装置１８で受信した撮影画像データは、撮影画像データメモリ１９に記憶すると共に、その撮影画像データメモリ１９に記憶された撮影画像データから画像データ量を少なくして解像度を低下させたサンプル画像データを画像加工装置２１で生成して、前記ステップＳ２３で顧客データ記憶メモリ１２に記憶されている顧客４３の携帯電話にサンプル画像データを画像配信装置２２から送信する。
【００６６】
このステップＳ２６で撮影管理サーバ２から送信されたサンプル画像データを携帯電話で受信した顧客４３は、ステップＳ２７で携帯電話で受信したサンプル画像を再生表示して、その撮影画像の購入と撮影のやり直しの指示、撮像画像の背景選択指示、及び撮影料金と撮影画像データの送信料金の支払い方法等の撮影画像の購入情報を入力して、撮影管理サーバ２へ送信する。
【００６７】
このステップＳ２７により、顧客４３の携帯電話１から送信された撮影画像の購入情報は、ステップＳ２８で撮影管理サーバ２の携帯電話送受信装置１１を介して受信し、その撮影画像購入情報を顧客データ記憶メモリ１２に記憶し、かつ、その撮影画像購入情報を送信先送信種別確認装置１７で確認認識し、画像加工装置２１で、撮影画像購入情報の基で、撮影画像に顧客が指定した背景に変更、又は文字キャラクタ付加等の加工処理を行い、指定されている画像送付先に画像配信装置２２から配信する。
【００６８】
このステップＳ２８の顧客４３への撮像画像の配信終了後、ステップＳ２９で撮影管理サーバ２は、撮影と画像データ送信料金の請求受領を行う。
【００６９】
尚、前記ステップＳ２８の背景の加工処理は、前記カメラ制御装置４からカメラ５を撮影駆動制御して、事前に競馬場内の特定の場所やイベントなどを撮影したり、事前に文字キャラクタを作成したりして背景画像メモリ２０に記憶させ、その記憶されている背景画像と文字キャラクタから顧客４３の好みによって選択指定できるようになっている。
【００７０】
また、ステップＳ２８の顧客４３に対する撮影画像の送付は、撮影画像データとして、顧客４３の携帯電話やパーソナルコンピュータ等のプロバイダー３８に伝送する方法以外に、プリンタ２７でハードプリントアウトして、競馬場の出口で顧客４３に手渡すことも可能である。
【００７１】
以上説明したように、自らのカメラでは撮影できない撮影アングルで、競争競技場に設置されている複数の撮影ポイントで、ゴールシーン等の各種の背景場面で撮影することができると共に、その背景を好みの背景に変更したり、文字キャラクタを付加したりすることができ、かつ、その撮影画像をハードコピーとして入手できると共に、撮影画像データとして保有することが可能となった。
【００７２】
【発明の効果】
本発明の遠隔撮影システムは、競技場、テーマパーク、景勝地、及び競争競技場等に設置されている複数のカメラを用いて、自らは撮影できない撮影アングルや背景シーンでの撮影が可能で、特に、顧客が携行する携帯電話から撮影依頼が簡易に行え、その撮影画像を速やかに確認できると共に、撮影された画像は、プリントアウトしたり、画像データとして顧客のプロバイダーに送信保存できる効果を有している。
【図面の簡単な説明】
【図１】本発明に係る遠隔撮影システムの全体構成を示すブロック図。
【図２】本発明の遠隔撮影システムの第１の実施形態である野球場における使用状態を説明する説明図。
【図３】本発明の遠隔撮影システムの第１の実施形態の撮影動作を説明する説明図。
【図４】本発明の遠隔撮影システムの第２の実施形態である遊園地における使用状態を説明する説明図。
【図５】本発明の遠隔撮影システムの第３の実施形態である競馬場における使用状態を説明する説明図。
【図６】本発明の遠隔撮影システムの第２の実施形態の撮影動作を説明する説明図。
【図７】本発明の遠隔撮影システムの第３の実施形態の撮影動作を説明する説明図。
【符号の説明】
１…携帯電話、２…撮影管理サーバ、３…時刻表示装置、４…カメラ制御装置、５…撮影カメラ、６…顧客サーバ、１１…携帯電話送受信装置、１２…顧客データ記憶メモリ、１３…時計装置、１５…撮影時間決定装置、１６…撮影指示装置、１７…送信先送信種別確認装置、１８…撮影画像受信装置、１９…撮影画像データメモリ、２０…背景画像データメモリ、２１…画像加工装置、２２…画像配信装置。
【図１】
2004297363.tif 000003
【図２】
2004297363.tif 000004
【図３】
2004297363.tif 000005
【図４】
2004297363.tif 000006
【図５】
2004297363.tif 000007
【図６】
2004297363.tif 000008
【図７】
2004297363.tif 000009